(57)【要約】【課題】ケースの糸巻収納部内へ糸巻をセットする際に、糸巻に巻かれた糸の一部がばらけて糸巻の側面と糸巻収納部の側面との間へ脱落したりしにくく、使い勝手の良い墨壷を提供する。【解決手段】ケース１と、このケース１に形成された糸巻収納部１１Ａに収納された糸巻２と、この糸巻２に巻きつけられると共にケース１の一端に設けられた糸繰り出し口１１Ｄを通って外部へ引き出され先端に止着具６が取り付けられた糸３と、糸巻収納部１１Ａと糸繰り出し口１１Ｄの間に位置してケース１に形成された墨室部１１Ｂに収納され糸３に墨汁を付着させる墨汁付着手段４を備える墨壷において、糸巻収納部１１Ａが、糸巻２をその軸方向一側で回転可能に係合する軸受部と、糸巻収納部１１Ａの略半周を開閉可能な糸巻カバー１２を備え、軸受部への糸巻２の係合状態が、糸巻カバー１２によって維持されるものである。【選択図】図２
2015213971.tif 000002
【特許請求の範囲】
【請求項１】
ケースと、このケースに形成された糸巻収納部に収納された糸巻と、この糸巻に巻きつけられると共に前記ケースの一端に設けられた糸繰り出し口を通って外部へ引き出され先端に止着具が取り付けられた糸と、前記糸巻収納部と前記糸繰り出し口の間に位置して前記ケースに形成された墨室部に収納され前記糸に墨汁を付着させる墨汁付着手段を備える墨壷において、前記糸巻収納部が、前記糸巻をその軸方向一側で回転可能に係合する軸受部と、前記糸巻収納部の略半周を開閉可能な糸巻カバーを備え、前記軸受部への前記糸巻の係合状態が、前記糸巻カバーによって維持されることを特徴とする墨壷。
【請求項２】
糸巻カバーが、糸巻の回転軸心と略平行なヒンジを介して糸巻収納部における墨室部と反対側の端部に結合されたことを特徴とする請求項１に記載の墨壷。
【請求項３】
墨室部及び糸繰り出し口を開閉する墨室部側カバーが糸巻カバーの揺動端部と連接して配置され、糸巻から前記墨室部及び前記糸繰り出し口を通る糸の経路が、互いに連接した前記糸巻カバーと前記墨室部側カバーを開くことで開放されることを特徴とする請求項２に記載の墨壷。
【請求項４】
糸巻収納部のうち、軸受部と反対側の側壁の内周縁に、糸巻カバーを開いて前記軸受部へ糸巻を係合又は係合解除する際の前記糸巻の傾動を可能とする傾斜面が形成されたことを特徴とする請求項１〜３のいずれかに記載の墨壷。
【発明の詳細な説明】
【技術分野】
【０００１】
本発明は、木工あるいは建築工事において、墨汁等の着色液を付着させた糸を施工相手材に張設し、この糸により線を転写する墨壷に関する。
【背景技術】
【０００２】
木工や建築工事で墨線を打つ線引き作業に使用される墨壷は、従来から、基本的にはケース内に糸巻及び墨汁浸透部材が設けられ、糸巻に巻かれた糸が、ケース内で墨汁を沁み込ませた墨汁浸透部材に接触しながら、ケースの一端に形成された糸繰り出し口から外部へ繰り出されるようになっており、糸の先端に、この糸を墨打ち起点に止着するためのカルコが繋着された構造を備える。
【０００３】
この種の墨壷による墨打ち作業においては、まず、カルコを相手材の墨打ち起点に止着してからケースを移動させると、これに伴い、糸巻から引き出される糸には、墨汁浸透部材との接触によって墨汁が付着するので、この糸に、カルコ側の端部とケース側の端部との間で適当なテンションを与えた状態で、相手材の墨打ち対象面に向けて手指ではじくことによって、相手材に直線状の墨線を転写することができる。
【０００４】
そしてこの種の墨壷は、一般的に、糸巻を回転可能に収納したケースの糸巻収納部が、糸巻の回転軸心の一端外周で環状の蓋により開閉され、墨汁浸透部材を収納したケースの墨汁浸透部材収納部が、糸巻収納部を糸巻の軸方向一側で開閉するカバーと同じ側で、墨汁浸透部材収納部内を通る糸と略平行なヒンジを介して揺動するカバーによって開閉され、さらに、糸繰り出し口から引き出された糸を相手材における墨打ちの一方の起点に押し付けるためにケースにおける糸巻収納部と反対側（糸繰り出し口側）の端部に形成された糸押さえ部が、糸繰り出し口の外周のうち、糸巻収納部を開閉するカバー及び墨汁浸透部材収納部を開閉するカバーと同じ側に設けられている（例えば下記の特許文献１参照）。
【０００５】
また、糸押さえ部が、糸繰り出し口の外周のうち、糸巻収納部を開閉するカバー及び墨汁浸透部材収納部を開閉するカバーと略９０度異なる側に設けられたものも知られている（例えば下記の特許文献２参照）。
【先行技術文献】
【特許文献】
【０００６】
【特許文献１】特許第２７２７２８５号公報
【特許文献２】特開２００９−９５９２７号公報
【発明の概要】
【発明が解決しようとする課題】
【０００７】
上述した従来構造の墨壷は、いずれもケースの糸巻収納部が糸巻の軸方向一側で開閉されるようになっているため、糸の補修など、何らかの理由で糸巻をいったん糸巻収納部からケース外部へ取り出した後、再び糸巻を糸巻収納部内へセットする場合は、ふつう、カバーを取り外した糸巻収納部の開口を上へ向け、糸巻を、その回転軸心が上下方向を向くようにして、糸巻収納部内へその上側から挿入してセットする。このため、糸巻に巻装された糸のうち最も外周部に巻かれた糸の一部が、糸巻を糸巻収納部内へ入れる過程でばらけ、糸巻の側面と糸巻収納部の側面との間へ脱落して噛みこまれてしまいやすいといった問題がある。したがって、糸が脱落しないようにしながら糸巻を糸巻収納部へセットする作業にコツが必要で、面倒であった。
【０００８】
また、糸巻を糸巻収納部からケース外部へ取り出す際には、糸巻収納部を開閉するカバーをケースから完全に取り外すようになっているため、再び糸巻を糸巻収納部内へセットするまでの間に、カバーを紛失してしまうおそれがある。
【０００９】
本発明は、以上のような点に鑑みてなされたものであって、その技術的課題は、ケースの糸巻収納部内へ糸巻をセットする際に、糸巻に巻かれた糸の一部がばらけて糸巻の側面と糸巻収納部の側面との間へ脱落したりしにくく、使い勝手の良い墨壷を提供することにある。
【課題を解決するための手段】
【００１０】
上述した技術的課題を有効に解決するための手段として、請求項１の発明に係る墨壷は、ケースと、このケースに形成された糸巻収納部に収納された糸巻と、この糸巻に巻きつけられると共に前記ケースの一端に設けられた糸繰り出し口を通って外部へ引き出され先端に止着具が取り付けられた糸と、前記糸巻収納部と前記糸繰り出し口の間に位置して前記ケースに形成された墨室部に収納され前記糸に墨汁を付着させる墨汁付着手段を備える墨壷において、前記糸巻収納部が、前記糸巻をその軸方向一側で回転可能に係合する軸受部と、前記糸巻収納部の略半周を開閉可能な糸巻カバーを備え、前記軸受部への前記糸巻の係合状態が、前記糸巻カバーによって維持されるものである。
【００１１】
なお、ここでいう「墨汁」とは、本来の墨汁には限定されず、マーキングに使用可能な着色液体全般をさすものである。
【００１２】
請求項１の構成を備える墨壷は、糸巻に巻かれた糸を、ケース内で墨汁付着手段によって墨汁を付着させながら、糸繰り出し口からケースの外部へ繰り出して、施工相手材の表面における一方の墨打ち起点に止着した止着具と他方の墨打ち起点に押し付けた糸押さえ突起との間で張設し、この糸を、相手材の表面に向けて手指ではじくことによって直線状の墨線を転写するものである。そして糸巻収納部に設けられた糸巻カバーが、糸巻収納部の略半周を開閉するものであるため、糸巻収納部へ糸巻をセットするときは、糸巻カバーを開いた糸巻収納部内へ、糸巻をその軸心と交差する方向へ入れてその軸方向一側を軸受部に係合させるので、その際に、糸巻に巻かれた糸がばらけて糸巻の側面と糸巻収納部の側面との間へ脱落したりしにくく、糸巻カバーを閉じることで糸巻の軸方向変位が規制されて軸受部との係合状態が維持され、円滑な回転が補償される。
【００１３】
請求項２の発明に係る墨壷は、請求項１に記載された構成において、糸巻カバーが、糸巻の回転軸心と略平行なヒンジを介して糸巻収納部における墨室部と反対側の端部に結合されたものである。
【００１４】
請求項２の構成によれば、糸巻カバーがヒンジを介して糸巻収納部の略半周を開閉するものであり、糸巻収納部を開放する際に完全に取り外されるものではないため、紛失の恐れがない。
【００１５】
請求項３の発明に係る墨壷は、請求項２に記載された構成において、墨室部及び糸繰り出し口を開閉する墨室部側カバーが糸巻カバーの揺動端部と連接して配置され、糸巻から前記墨室部及び前記糸繰り出し口を通る糸の経路が、互いに連接した前記糸巻カバーと前記墨室部側カバーを開くことで開放されるものである。
【００１６】
請求項３の構成によれば、糸巻から墨室部及び糸繰り出し口を通る糸の経路が、互いに連接した糸巻カバーと墨室部側カバーを開くことで開放されるので、例えば糸が切れたような場合に、糸巻に巻かれた糸を引き出して墨室部及び糸繰り出し口を通し、その先端に止着具を繋着するといった補修作業等を、容易に行うことができる。
【００１７】
請求項４の発明に係る墨壷は、請求項１〜３のいずれかに記載された構成において、糸巻収納部のうち、軸受部と反対側の側壁の内周縁に、糸巻カバーを開いて前記軸受部へ糸巻を係合又は係合解除する際の前記糸巻の傾動を可能とする傾斜面が形成されたものである。
【００１８】
請求項４の構成によれば、例えば糸の補修などのために、糸巻をいったん糸巻収納部からケース外部へ取り出し、その後再び糸巻を糸巻収納部内へセットする作業を、容易に行うことができる。
【発明の効果】
【００１９】
本発明に係る墨壷によれば、糸巻を糸巻収納部内へセットする際に、糸巻に巻かれた糸の一部が糸巻の側面と糸巻収納部の側面との間へ脱落しにくく、作業性を向上することができる。
【図面の簡単な説明】
【００２０】
【図１】本発明に係る墨壷の好ましい実施の形態を示す斜視図である。
【図２】本発明に係る墨壷の好ましい実施の形態を糸巻の軸心を通り糸引き出し方向と平行な平面で切断して示す断面図である。
【図３】図２におけるIII−III’断面図である。
【図４】本発明に係る墨壷の好ましい実施の形態の糸巻カバーと墨室部側カバーを開いた状態を示す側面図である。
【図５】本発明に係る墨壷の好ましい実施の形態の糸巻カバーと墨室部側カバーを開いた状態を示す一部破断した平面図である。
【図６】本発明に係る墨壷の好ましい実施の形態における使用状態を示す説明図である。
【図７】本発明に係る墨壷の好ましい実施の形態における他の使用状態を示す説明図である。
【図８】本発明に係る墨壷の好ましい実施の形態において糸巻を取り出し又はセットする過程を示す説明図である。
【発明を実施するための形態】
【００２１】
以下、本発明に係る墨壷の好ましい実施の形態について、図面を参照しながら詳細に説明する。
【００２２】
各図において、参照符号１は合成樹脂材で成形されたケースである。このケース１は、ケース本体１１、糸巻カバー１２及び墨室部側カバー１３からなる。ケース本体１１は、軸方向の投影形状が略半円形をなす糸巻収納部１１Ａと、その前方（図１及び図２等における右側）の墨室部１１Ｂと、更にその前方の糸繰り出し口１１Ｄを有する。そしてケース１は全体として、ケース本体１１の墨室部１１Ｂとこれを開閉する墨室部側カバー１３からなる部分が、ケース本体１１の糸巻収納部１１Ａとこれを開閉する糸巻カバー１２からなる部分から偏心して延びており、しかも糸巻収納部１１Ａの底部と墨室部１１Ｂの底部の間には指掛け凹部１１Ｃが形成されているので、あたかも拳銃のグリップを握るように片手で握ることのできる形状となっている。
【００２３】
糸巻カバー１２は、ケース本体１１における糸巻収納部１１Ａの上部開口における後端（墨室部１１Ｂ側と反対側の端部）に軸心が後述する糸巻２の回転軸心と略平行なヒンジ１２１を介して結合され、軸方向の投影形状が略半円形をなし、糸巻収納部１１Ａとの間に糸巻２を回転自在に保持するための空間を画成するものである。
【００２４】
墨室部側カバー１３は、図４及び図５に示すように、ケース本体１１における墨室部１１Ｂの外側面に軸心が糸３の引き出し方向と略平行なヒンジ１３１を介して揺動可能に設けられ、墨室部１１Ｂ及び糸繰り出し口１１Ｄの上部を開閉するようになっている。また、墨室部側カバー１３の後端部１３ａは糸巻カバー１２の揺動端部（ヒンジ１２１と反対側の端部）１２ａと連接しており、かつ糸巻カバー１２の揺動端部１２ａが、墨室部側カバー１３の後端部１３ａとの嵌合よって糸巻収納部１１Ａを閉じた状態に係止されるものであり、すなわち墨室部側カバー１３を開くことによって糸巻カバー１２も開くことができるようになっている。
【００２５】
糸巻２は、図２及び図３に示すように、外周に糸３を巻回する糸巻本体２１と、その内周に同心的にかつ相対回転自在に配置されたばね芯２３との間に取り付けられて糸巻本体２１を糸３の巻き取り回転方向へ付勢する渦巻きばね２２からなるものであって、糸巻カバー１２によってケース本体１１の糸巻収納部１１Ａから抜け止めされ、回転可能な状態に保持されている。
【００２６】
図１に示すように、糸巻本体２１の軸方向一端２１ａは、内周部が、ケース本体１１の糸巻収納部１１Ａとこれを閉じた糸巻カバー１２とによって形成される円形開口部１ａから外部へ露出しており、この露出面にはゴム状弾性材料（ゴム材料又はゴム状弾性を有する合成樹脂材料）からなる多数の摩擦部材２４が円周方向等間隔で取り付けられている。一方、この糸巻本体２１の軸方向他端（内端）に位置するばね芯２３のフランジ部２３ａが、図３に示すように、糸巻収納部１１Ａの内面に形成された環状の軸受部１１１に回転可能に支持されると共に、後述のばねチャージャ５と分離可能に係合されている。
【００２７】
墨室部側カバー１３の揺動端部（ヒンジ１３１と反対側の端部）には、図１に示すように被掛合爪１３２及び指掛け部１３３が形成されている。被掛合爪１３２は、ケース本体１１における墨室部１１Ｂの外側面に形成された掛合爪１１２にスナップ的に掛合されることによって、墨室部側カバー１３を閉塞状態に固定するものである。
【００２８】
図２及び図４，図５に示すように、墨室部側カバー１３の内面には、ゴム状弾性材料からなるパッキン１３４が設けられ、ケース本体１１における墨室部１１Ｂの上部開口縁に密接可能となっている。そして、墨室部１１Ｂ内には、スポンジ、脱脂綿あるいはフェルト等からなり、好ましくは、墨汁の浸透保持作用に優れたセルロースの繊維からなる墨汁浸透部材４が着脱可能に収納されている。墨汁浸透部材４は、請求項１に記載された墨汁付着手段に相当するものであって、図５に示すように、内部に糸３を通すためのスリット４ａが形成されている。
【００２９】
ケース本体１１における糸巻収納部１１Ａと墨室部１１Ｂとの間には糸挿通部１１Ｅが形成され、墨室部１１Ｂと糸繰り出し口１１Ｄとの間には糸挿通部１１Ｆが形成されている。墨室部１１Ｂ内へ向けて突出した漏斗状を呈する糸繰り出し口１１Ｄ及びその突端に位置する糸挿通部１１Ｆは、ケース本体１１とこれに嵌合した墨室部側カバー１３との間に形成されており、糸巻２の糸巻本体２１に巻回された糸３は、糸挿通部１１Ｅから墨室部１１Ｂ内の墨汁浸透部材４のスリット４ａ及び糸挿通部１１Ｆを通って、糸繰り出し口１１Ｄからケース１の外部へ導出されるようになっている。
【００３０】
図２に示すように、糸巻カバー１２の揺動端部（ヒンジ１２１と反対側の端部）１２ａには、糸巻２の回転軸心と略平行な金属製のガイドピン１２２が取り付けられており、このガイドピン１２２は、糸巻２と墨汁浸透部材４の間で糸３の経路を規定するものである。詳しくは、糸巻カバー１２を閉じた状態において、糸巻本体２１に巻回された糸３が糸巻カバー１２の内周側から墨汁浸透部材４へ至る過程で、ガイドピン１２２と摺接する位置を経由することで、墨汁浸透部材４のスリット４ａ内を通るように糸３を案内するものである。
【００３１】
そして図示の例では、図２に示す断面において糸巻２に時計回りに巻き付けられた糸３が糸巻２の上半部からガイドピン１２２の下側を通って墨汁浸透部材４内へ延びており、糸３の方向がガイドピン１２２を境にして大きな角度で曲げられていないので、糸３の引き出し又は巻き取り過程で大きな負荷が掛からないようになっている。
【００３２】
墨室部側カバー１３には円形孔が開設されていて、この円形孔には、パッキン１３４と一体に連続した押しボタン１３５が密嵌されており、この押しボタン１３５の内面には押圧部材１３６が取り付けられており、押しボタン１３５を外側から手指で押すことによって押圧部材１３６が押し下げられて墨汁浸透部材４を圧縮変形するようになっている。
【００３３】
墨室部側カバー１３における糸巻収納部１１Ａと反対側の端部、すなわち糸繰り出し口１１Ｄの外周に位置する部分には、糸繰り出し口１１Ｄの中心軸線と平行な方向に対して外側へ傾斜して延びる糸押さえ突起１３７が一体に形成され、その先端１３７ａがケース１（墨室部側カバー１３）の外側面の延長面より外側に位置している。そしてこの糸押さえ突起１３７は、先端１３７ａへ向けて幅が減少するような先細り形状となっており、先端１３７ａには複数の糸掛け溝１３７ｂが形成されている。
【００３４】
また、糸押さえ突起１３７の糸繰り出し口１１Ｄと反対側の面、すなわち押しボタン１３５と隣接する面には、ケース１の糸巻２側（糸巻収納部１１Ａ及び糸巻カバー１２からなる部分）を握った手の指（例えば人差し指）の先端部を当てることの可能な指当て凹部１３７ｃが形成されている。
【００３５】
図３に示すように、ケース本体１１における糸巻収納部１１Ａの一側には、糸巻２のばね芯２３と係合可能なばねチャージャ５が取り付けられている。このばねチャージャ５は、ワンウェイクラッチ機構及びその解除機構などからなる公知の構造を備え、糸巻２に内蔵された渦巻きばね２２の付勢力を任意に調整するものである。
【００３６】
また、ケース本体１１の糸巻収納部１１Ａにおける軸受部１１１と反対側の側壁１１３の内周面、すなわちケース１の円形開口部１ａを構成する糸巻収納部１１Ａの内周面は、前記側壁１１３の内側へ向けて深くなるように傾斜した傾斜面１１３ａとなっている。
【００３７】
図２に示すように、ケース１の外部へ導出される糸３の先端には、カルコ６が繋着されている。カルコ６は請求項１に記載された止着具に相当するものであって、合成樹脂製の中空の柄６１と金属製の止着針６２を備えており、図示の例では、通常は止着針６２が不図示のばねによって柄６１の中に収納されており、使用の際には手指で柄６１をつまむと共に押片６３を前記ばねの付勢力に抗して一点鎖線で示す位置へ押動することによって、柄６１から突出させることができるようになっている。また、柄６１の先端６１ａは、ケース１における漏斗状の糸繰り出し口１１Ｄに嵌合状態に保持することが可能な形状に形成されている。
【００３８】
以上のように構成された実施の形態の墨壷は、使用に際して、予め墨室部１１Ｂ内の墨汁浸透部材４に墨汁を十分に含浸させておく。墨汁は、墨室部側カバー１３を開いて墨室部１１Ｂ内に注入することによって、墨汁浸透部材４に含浸させることができる。
【００３９】
そして墨打ち（線引き）作業においては、例えばまずカルコ６を、その止着針６２を相手材の表面における墨打ちの一方の起点に刺して止着してから、ケース１を墨打ちの他方の起点へ向けて移動させると、糸巻２の回転を伴いながら、糸３がケース１の移動距離分だけ引き出されて行く。この糸３は、墨室部１１Ｂ内の墨汁浸透部材４のスリット４ａを通る過程で、この墨汁浸透部材４に摺接することによって墨汁が付着し、糸巻２に内蔵された渦巻きばね２２が糸巻本体２１の回転に伴って蓄勢される。また図６に示すように、ケース１は、糸巻収納部１１Ａとこれを開閉する糸巻カバー１２からなる部分を、拳銃を握るように片手で握ることができ、しかも指掛け凹部１１Ｃの存在によって握りやすく、使い勝手が良いものとなっている。
【００４０】
ケース１を墨打ちの他方の起点まで移動させたら、図７に示すように、糸３を糸押さえ突起１３７の糸掛け溝１３７ｂに掛けて相手材Ｗの表面に押止することによって、この糸３を、カルコ６との間に適当な張力で張設する。そして、この糸３を相手材の表面に向けて指ではじいて打ち付ければ、糸３に付着している墨汁によって、直線状の墨線を転写することができる。
【００４１】
ここで、糸押さえ突起１３７は先端１３７ａ側ほど幅が減少する先細り形状に形成されているため、カルコ６による止着部と反対側の墨打ち起点が、例えば入り隅の奥の方などの狭い場所にあっても、糸押さえ突起１３７による糸３の押止が可能である。しかも糸押さえ突起１３７は、糸繰り出し口１１Ｄの中心軸線と平行な方向に対して外側へ傾斜して延び、その先端１３７ａがケース１（墨室部側カバー１３）の外側面の延長面より外側に位置しているので、これによる糸３の押止位置が見えなくなりにくい。したがって、入り隅などのような狭い場所でも糸３を正確に押止して墨打ちを行うことができる。
【００４２】
糸押さえ突起１３７は、ケース１を構成する墨室部側カバー１３の端部に形成されているため、従来のように金属からなる別部材の糸押さえ部材を取り付けたものに比較して小型化が可能であり、部品数やコストの低減も可能である。
【００４３】
また、糸押さえ突起１３７によって相手材に糸３を押止する際には、図７に示すように、ケース１の糸巻２側（糸巻収納部１１Ａ及び糸巻カバー１２からなる部分）を握った手の指（例えば人差し指）の先端部を、この糸押さえ突起１３７に形成された指当て凹部１３７ｃに当てることで、押さえやすく、このため使い勝手が良い。
【００４４】
墨打ち作業終了後は、相手材に止着したカルコ６へ向けてケース１を移動させれば、糸３の引き出し過程で蓄勢された渦巻きばね２２の弛緩動作によって糸巻２が巻き取り方向へ回転するため、糸３は糸巻本体２１に自動的に巻き取られる。そして最後にカルコ６を相手材から引き抜けば、糸３が更に巻き取られてカルコ６の柄６１の先端６１ａが糸繰り出し口１１Ｄに嵌合状態に係止される。
【００４５】
そして、ケース１を図６に示すように手で握った状態では、手のひらの一部（又は指の一部）を、図１などに示す多数の摩擦部材２４に接触させることができるので、そのときの摩擦によって、渦巻きばね２２の付勢力による糸３の自動巻き取り速度を容易にコントロールすることができ、あるいは前記摩擦部材２４の滑り止め作用によって手で持ちやすくなるといった効果も得られる。
【００４６】
また、繰り返し使用によって糸３が切れてしまったような場合は、渦巻きばね２２の付勢力によって糸巻２の糸巻本体２１に糸３がすべて巻き取られるので、再使用のためには、巻き取られた糸３を、糸挿通部１１Ｅ、墨汁浸透部材４のスリット４ａ及び糸挿通部１１Ｆを通して、糸繰り出し口１１Ｄからケース１の外部へ引き出し、カルコ６に結びなおす必要がある。そしてこのような場合は、図４に示すように、墨室部側カバー１３を開くと共に、これによってロックが解除された糸巻カバー１２を開けば、糸巻２の外周の上半周が開放されると共に、図５に示すように、糸巻２から糸繰り出し口１１Ｄへ到る糸通し経路の全域が開放される。またこのとき、糸巻カバー１２及び墨室部側カバー１３はヒンジ１２１，１３１を介してケース本体１１に取り付けられているので、紛失することがない。
【００４７】
ここで、ケース本体１１の糸巻収納部１１Ａにおける軸受部１１１と反対側の側壁１１３の内周面が傾斜面１１３ａとなっているため、糸巻カバー１２を開いた状態では、図８に示すように糸巻２をばねチャージャ５と反対側へ傾動させることができる。そしてこのように傾動させれば、ばねチャージャ５及び軸受部１１１と糸巻２のばね芯２３のフランジ部２３ａとの係合が解除されるので、あとは糸巻収納部１１Ａの開放された上半周から糸巻２をその軸心と交差する方向（上方）へ取り出して糸３を引き出し、カルコ６に結びなおす作業を行うことができる。
【００４８】
糸３をカルコ６に結びなおした後、糸巻収納部１１Ａへ糸巻２をセットするには、糸巻カバー１２を開いた糸巻収納部１１Ａ内へ、糸巻２をその軸心と交差する方向へ入れて、図８のように傾斜させた状態からその軸方向一側（ばね芯２３のフランジ部２３ａ）を軸受部１１１及びばねチャージャ５と係合させる。そしてこの作業の過程では、糸巻２の軸心Ｏが、一時的には傾斜させるとはいえほぼ水平であるため、糸巻２に巻かれた糸３が外周からばらけて糸巻２の側面と糸巻収納部１１Ａの側面（軸受部１１１）との間へ脱落しにくく、このため糸巻収納部１１Ａへ糸巻２をセットする作業が容易になる。
【００４９】
また上述のように、糸巻２から糸繰り出し口１１Ｄへ到る糸通し経路の全域が開放されているので、図５に示すように、糸巻２から引き出された糸３を糸挿通部１１Ｅ、墨室部１１Ｂ内の墨汁浸透部材４のスリット４ａ、糸挿通部１１Ｆを通して、糸繰り出し口１１Ｄからケース１の外部へ導出するようにセットする作業も容易に行うことができる。
【００５０】
糸巻２及び糸３のセット作業が終わったら、糸巻カバー１２及び墨室部側カバー１３を閉じる。このとき、墨室部側カバー１３は、その揺動端部の被掛合爪１３２が、ケース本体１１の外側面に形成された掛合爪１１２にスナップ的に掛合されることによって閉塞状態に固定され、この墨室部側カバー１３によって、糸巻カバー１２が閉塞状態に固定される。そして糸巻カバー１２の閉塞によって糸巻２の軸方向変位が規制されて軸受部１１１及びばねチャージャ５との係合状態が維持され、円滑な回転が補償されると共に、糸巻カバー１２の揺動端部１２ａに取り付けられたガイドピン１２２によって糸３が墨汁浸透部材４のスリット４ａ内へ案内される。
【００５１】
なお、上述の実施の形態では、墨室部側カバー１３が糸３の引き出し方向と略平行なヒンジ１３１を介して揺動可能に設けられたものとしたが、完全に取り外し可能なものや、糸の移動方向と直交する方向にスライドするものや、90度回転可能なものなど、他の形態も考えられる。
【符号の説明】
【００５２】
１  ケース
１１  ケース本体
１１Ａ  糸巻収納部
１１Ｄ  糸繰り出し口
１１１  軸受部
１１３  側壁
１１３ａ  傾斜面
１２  糸巻カバー
１２１，１３１  ヒンジ
１３  墨室部側カバー
２  糸巻
２４  摩擦部材
３  糸
４  墨汁浸透部材（墨汁付着手段）
６  カルコ（止着具）
【図１】
2015213971.tif 000003
【図２】
2015213971.tif 000004
【図３】
2015213971.tif 000005
【図４】
2015213971.tif 000006
【図５】
2015213971.tif 000007
【図６】
2015213971.tif 000008
【図７】
2015213971.tif 000009
【図８】
2015213971.tif 000010